(57)【要約】  【課題】    （１）構造が簡単で製造コストが安い    （２）握り易い軸で疲労が少なく書き易い    （３）柔軟で薄く携帯に便利である    （４）手軽に情報の参照と記入ができる    （５）見失い難く何時でも直ぐ使える    上記の長所を持つ筆記具を提供する。   【解決手段】  シート材の簡単な加工で軸部１を作り、湾曲によって該軸部の剛性が変化することを利用して該軸部を書き易いものとし、該軸部の平面化によって生じる次のような４特性  （１）可撓性  （２）情報保持面  （３）標識面積  （４）加工容易性  を併せて利用することによって課題を解決する。  【選択図】図１
2008273119.tif 000002
【特許請求の範囲】
【請求項１】
軸部１の少なくとも一部にシート状の変形部７を設け、該変形部に湾曲と該湾曲の復元を繰り返す変形特性を持たせ、筆記材２を直接又は被覆物を介して該軸部に結合したことを特徴とする変形する筆記具。
【請求項２】
該軸部に該筆記材の抜き差しが容易な筒状又は袋状の保持部３を設け、差し込んだ該筆記材を該保持部の物性（即ち弾性率、塑性限界、摩擦係数の三者の組み合わせ）によって保持することを特徴とする請求項１記載の変形する筆記具。
【請求項３】
少なくとも一部がシート状の付属シート５を準備し、貼り付け又は該軸部に設けたポケット８への挿入によって該付属シートと該軸部とを結合したことを特徴とする請求項１記載の変形する筆記具。
【請求項４】
該軸部の少なくとも一部において、透明材料の使用又は材料の切欠きの加工によって該付属シートが見えるようにした透視窓４を設けたことを特徴とする請求項１記載の変形する筆記具。
【請求項５】
異形の加工部６が該軸部に加工され、筆記者の手への結合、識別、取っ手、剛性の調節の４機能のいずれかを該加工部が行うことを特徴とする請求項１記載の変形する筆記具。
【発明の詳細な説明】
【技術分野】
【０００１】
本発明は、状況に適した形状と特性を持つ筆記具に関する。
【背景技術】
【０００２】
従来、ボールペンや鉛筆など日常的に使用する筆記具には下記の５項目が要求され、様々な特許が申請されてきた。特に、初めの（１）と（２）は多くの人が日常筆記具の必須条件とする基本的要求であり、古来様々な筆記具が出現し、それらの欠点も周知のことが多い。
（１）経済的であること。
（２）書き易いこと。
（３）携帯に便利であること。携帯には薄さや軽さが要求される。一般に、軸を太くして書き易くすると携帯に不便であった。
（４）手近に情報を保持すること。ゴルフのスコアや浮かんだアイデアを記録したり、役に立つ過去の情報を参照したりするために、手近な記録面が要求された。
（５）手の動作と筆記とが遅滞なく簡単に切り替えられること。楽器演奏やキーボード入力などで手や指を使いながら、頻繁に筆記具を使用してチェックを入れたりメモを記入したりする簡易な手段が要求された。即ち、手の操作と筆記作業の切り替えで、筆記具を探したり、持ちかえたりする手間を省くことが要求された。
【０００３】
（１）については、製造コストを下げて安価にしたゴルフ鉛筆のように黒鉛棒などの筆記材を芯にして樹脂の棒と結合した筆記具がある。しかし、安価な筆記具は、直ぐに使用不能になる欠点があった。
【０００４】
（２）については、筆記者にとって筆記が快適で、指の負担と疲労が少なく、きれいな文字が書けるために、年々多様な筆記具が作られている。書き易いためには筆記者に適した軸の寸法形状と重さが必要である。しかし、手の寸法と力には個人差があるので、固定した形状と物性では、人によって書き難い欠点が生じた。
【０００５】
（３）については、軸部が変形して狭い空間に入れることによって改善されることが多い。このため軸部を変形可能にする多くの試みが提案された。例えば特許文献１では使用時にパネルを折って持ち易い軸部を形成し、不使用時は薄くして収納を容易にした。しかし機構が複雑で製造コストが掛る欠点がある上に、使用時の折りたたみが面倒である欠点があった。また特許文献２と特許文献３では軸部を一枚の曲がるカードにして携帯を容易にしたが筆記時の軸部に厚みがないので親指と人差し指の間を狭くして握るために書き難く、加えて、指に当たる面積が小さいので長時間の筆記では痛みが生じ、また、寸法と剛性とが一定のため人によっては手の形に適合しない欠点があった。更に、キャップの着脱が面倒で、紛失しやすい欠点があった。特許文献４では巻き回数によって軸の太さを調節できるが、巻いたり、解いたりする作業は面倒で時間が掛る欠点があった。
【０００６】
上述の要求（４）については、筆記具に情報保持のためロール紙などを結合する多くの試みが提案された。例えば特許文献４ではロールに巻いた紙面が結合され、相当量の情報が書き込めるが、構造が複雑で製造コストが高くなる欠点があった。また筆記具と紙面とが一体化しているので書き込みが面倒であった。
【０００７】
上述の要求（５）については、目立ちやすくしたり、持ちやすくしたりする試みがなされてきた。加えて、指や手を筆記具と結合する多くの試みが提案された。例えば特許文献６では筆記具を設けた可撓性の細い棒を指に巻いて両者を結合するが、筆記作業の能率が低いうえに、特別な練習を必要とする欠点があった。また接触、振動、風などによって軽易に移動にし、計算などの作業中に見失ったり紛失したりした。
【特許文献１】米国特許 4,568,213 Foldable pen with cap (1986)
【特許文献２】米国特許 4,732,504 Flexible flat ballpoint pen(1988)
【特許文献３】米国特許 5,897,261 Ballpoint pen for credit card     receiving pocket   (1999)
【特許文献４】日本国特許公開 2000-62380  携帯用巻き込み筆記用具、および巻き込み筆記用具の使用方法      (2000.2.29)
【特許文献５】米国特許 6,905,275 Pen card (2006)
【特許文献６】米国特許 6,527,464 Fingertip pen/stylus (2003)
【発明の開示】
【発明が解決しようとする課題】
【０００８】
解決しようとする課題は、上記の５要求を同時に満足することである。整理すると下記の事項を同時に達成することである。
（１）安価で長持ちすること。
（２）誰にも書き易いこと。
（３）携帯に適した形状であること。
（４）筆記中に必要情報の記入又は読み出しが簡単にできること。
（５）いつでも直ぐ書けること。
【課題を解決するための手段】
【０００９】
本発明における上記課題解決の手段は、請求項１のように、シート状の物体を湾曲（文字Ｕ又はＣ型を形成）させると立体的な曲げ剛性が高くなる現象を利用して筆記に必要な剛性の軸部を形成する。該湾曲は筆記の都度手で形成したり、簡易な結合手段を用いて筆記時だけ湾曲を留めたりする。一方、携帯時には該シート状物体の復元による軸部の剛性低下を利用して携帯に適した形状に変形させる。この変形特性を保ちながら該軸部に筆記材を結合する。以下は図面を参照して記述する。図１に見るように、軸部1の少なくとも一部にシート状で湾曲する変形部７を設ける。図３に見るように、該変形部には筆記具を握る力程度で湾曲する変形特性を持たせる。右手で筆記する要領を図４に示すと、親指１１と人差し指１２で湾曲させて筆記する。場合によっては適切な湾曲をバンド、ホック、釦、ベルクロなどで留めておく。なお、該シート状の弾性又は塑性による物性を選択し、変形と復元の繰り返しを可能にする。
【００１０】
また用途によっては請求項２のように、棒状又は板状の鉛筆又はボールペンなど筆記具の芯又はそれらの周囲を被覆して成形した筆記材２を準備し、該軸部に筒状又は袋状の保持部３を設け、弾塑性性若しくは摩擦係数の物性又は幾何形状を利用して該筆記材を一定方向に向けたまま保持したり、抜き取ったりすることを可能にする。即ち、手で挿入した該筆記具の先端を出して一定の深さで止め、筆記中の落下による抜けを防止する。
【００１１】
また用途によっては請求項３のように、少なくとも一部が所定の物性（弾性又は可塑性）を持つシート状の付属シート５を準備し、貼り付け又は該軸部に設けたポケット８への挿入によって該付属シートと該軸部とを結合する。
【００１２】
また用途によっては請求項４のように、該軸部の少なくとも一部に、透明材料の使用又は材料の切欠きの加工によって透視窓４を設けて、該付属シートの表示面が見えるようにする。
【００１３】
また用途によっては請求項５のように、該軸部に異形に加工した加工部６を設けて下記目的のいずれかを行う。
（１）筆記者の指若しくは手の周辺に該軸部を保持すること
（２）識別すること
（３）移動すること
（４）該軸部の剛性を調節すること
【発明の効果】
【００１４】
本発明は、軸部のシート状体を自在に湾曲変形することにより、簡単な筆記具で、筆記者の手の形と力に適合した書き易い軸部が簡易に形成される効果を奏する。この形は、指に当たる面積を広くして長時間の接触を快適に保ち、且つ、親指と人差し指の間を広げた状態で保持するので疲労が少なく、書き易い。加えて、多様な方法で保持ができるので、指が動かない人や手に怪我をした人のように、通常の筆記具が握れない人も筆記ができる。また、元の形に復元すると、薄く、且つ、変形の容易な物体となり手帳などに挟み易いので携帯や格納を容易にする。使用環境によっては、逆に、常時に筆記に適した形状を保ち、携帯や格納時に変形させることもできる。加えて、必然的に伴うシート状の変形部７を利用して必要情報を保持する面積を確保すること、及び、標識として目立ちやすくして紛失を防ぐ効果を奏する。
【００１５】
また請求項２のように棒状又は板状の筆記材２を保持部３に抜き差しする手段を用いることによって、簡単な操作で該筆記材の保護と交換が可能になり、多様な深さの底を形成して筆記材２の出を調節したり、逆さに挿入して芯を保護したり、赤青を一本に連結した色鉛筆として多様な色を入れ替えたり、保持部３を複数に仕切って異なる突き出し長さに調整したり、複数の該保持部を設けて色や芯径の異なる筆記材を保持したりすることを可能にする。なお、常時は材料の弾性によって閉じるようにした挿入口を設けると、製造コストを低くして該筆記材を簡単に抜き差しできる筆記具が得られる。例えば、市販のポリプロピレン（以下ＰＰと言う）又は塩化ビニールなどのシート（約１ミリ厚）のような弾性と柔軟性とを持つ材料で該保持部を作ると、該筆記材の押し込みによる挿入が容易で、且つ、筆記中は挿入口が材料の持つ物性によって閉じられるので、該保持部から抜け難くい筆記具になる。
【００１６】
また請求項３のように、貼り付け又は挿入によって軸部１と付属シート５とを結合し、両者の組み合わせによって軸部１の剛性が制御される。例えばポリプロピレンシート（0.1ミリ厚）をポケット８に挿入する枚数を増やすと軸部１の剛性が大きくなり、少なくすると低下する。個々の筆記者が自分の手の形や力に合わせて適切な枚数に増減することによって、更に書き易くする効果がある。該ポケットを用いる場合は、切抜きや手書きなど多様な情報保持手段を帯同したり、磁性体を用いて鉄面に貼り付けて保持したりする効果を奏する。
【００１７】
また請求項４のように、筆記しながら透視窓４から見ることができることによって、付属シート５の記載事項を参照することを可能にする。この記載事項を筆記活動の参考資料や筆記材の標識など多彩な情報として活用することを可能にする。加えて該透視窓の寸法や物性によって軸部１の剛性を高い精度で制御することをも可能にする。
【００１８】
また請求項５のように、異形の加工部６を設けることによって、下記の事項を可能にする効果を奏する。
筆記中に見失わないこと（３次元物体としての存在で）
握り損ねないこと（加工部６による簡易な扱いで）
簡易に識別する手掛かりにすること（形状や色を手掛かりに）
手と該軸部を結合すること（板状や線状の加工部６で）
該軸部の剛性を調節すること（切り方で）
【発明を実施するための最良の形態】
【００１９】
図１に示すように、本発明における、軸部１、保持部３、ポケット８の三者を透明のＰＰシートで製作し、中央部に異形の切れ目を入れて透視窓４を設け、該透視窓のＰＰ布を外に折り曲げて加工部６とする。筆記時は軸部１を湾曲させて手の中に握る。筆記者に適した剛性を持つＰＰ製の付属シート５をポケット８に挿入して湾曲時の変形特性を整える。剛性の一定した該付属シートの挿入枚数で所望の変形特性に調整してもよい。
【００２０】
該保持部は一つの保持部に浅底と深底を設けるか、浅底と深底の深さの異なるものを少なくとも二つ準備する。筆記材２としてボールペンの芯、鉛筆又は、ゴルフスコア記入用鉛筆の類似品（プラスチックで被覆して補強した黒鉛の棒又は鉛筆芯）を用い、該保持部に頭（筆記端の反対端）から挿入する。挿入した頭を該浅底に押し付け、筆記端を適量に出した状態で筆記する。携帯時は該頭を該深底に当てて、筆記端を該保部の中に格納する。使用インクなど使用条件によっては、以下のような仕様を選択する。
該筆記材を逆さにして筆記側から使用時の該保持部に挿入し、深い方の底に押し付けて倒置する。倒置するとインキ漏れによるトラブルを防ぐ効果がある。
該筆記材が芯の出し入れ制御機能を持つペンの場合はその機構を利用可能な形状（制御ボタン部を開口加工するなど）にする。
該軸部の端部を該筆記端の上に折り重ね、袋状の三角袋９を該筆記端に被せて保護する。
【実施例１】
【００２１】
図１は本発明の実施１の斜視図であって、ボールペンの芯を筆記材２とし、ＰＰシート材を加工して軸部１と二つの保持部３とを準備する。即ち、保持部３を該軸部の両端近くに設け、浅底の左側を筆記時に、深底の右側を携帯時に用いる。該筆記材を左側の保持部３に挿入するとペン先が出る。軸部１は透視窓４を設け、加工部６及びポケット８を設ける。
【００２２】
図２に示すように、ポケット８にＰＰ製の付属シート５を挿入し、剛性の調節と必要情報の保持とを行う。該付属シートの表面に紙を貼り、情報（文字、記号、絵）の書き入れを可能にする。該情報を該透視窓から見て筆記中の参考資料とアイデアとの保持に用いる。
【００２３】
加工部６は標識になると共に指を穴に通して手に結びつける機能を持つ。即ち、右手使用では右人差し指を中央の穴に通し、本発明を保持したままコンピュータのキー操作など他の作業を行うことを可能にする。
【実施例２】
【００２４】
実施例２は図３に示すように、変形部７を予め湾曲した一枚のＰＰシートを軸部１とし、保持部３に鉛筆芯の筆記材２を挿入する。携帯時は手帳などに挟むと一枚の面状になる。人差し指１２を加工部６の穴に通して筆記具を保持すると、キー操作など他の作業をしながら筆記をすることができる。剛性の調節と情報保持のために紙又はプラスチックの薄板を貼付する。使用時は変形部７を更に湾曲させる図４のように保持して書き易いに太さにする。加工部６をプラスチック板で作成したり、指に巻きつけるアルミ線で置き換えたりして簡易に手や指との結合と切り離しを行う。
【実施例３】
【００２５】
実施例３は図４に示すように、軸部１の全体が二枚の透明ＰＰシートで作られ、カードホルダー状をなして該二枚の間に情報カードを挟む。加工部６は軸部１にあけた孔とこの孔を通した塑性変形の容易な細棒（鉄線入りテープ又はアルミ棒）である。該加工部によって、軸部１を書き易い太さに丸めて固定したり、手に連結してキーボード操作など他の作業と筆記作業とを並行することを容易にしたり、本発明を吊るして保管し見え易くする用途に用いる。
【実施例４】
【００２６】
実施例４は図６に示すように、ポケット８を複数に加工し、軸部１の一部に袋状の格納部９を設ける。携帯時は該筆記部を畳んで、該格納部を筆記材２の位置にして該筆記材を包んで格納する。該格納部は該筆記材の保護と周囲の汚染防止との機能を発揮する。該ポケットは情報カードの他に液晶表示板、磁気デバイス、予備電池等筆記者に必要な物の保持にも用いられる。
【実施例５】
【００２７】
実施例５は図７のように、軸部１全体が透明ＰＰシートによる袋状をなし、これに任意枚数のシートを加えてポケット８を設ける。筆記時は図（ａ）のように筆記時の筆記材２を袋の角と袋の底の孔で位置保持する。該孔は袋内に設けた留め手段（例えばホッチキス針）でもよい。携帯時は図（ｂ）のように、該筆記材を該孔（保持部３）から抜き、袋内に保つ。なお、袋状の該軸部を一つのポケット８とする場合の挿入方向を矢印で示す。
【実施例６】
【００２８】
実施例６は図８のように、軸部１は一枚のＰＰシートからなり、これに複数の平行な切り込み線を切り込んで保持部３とポケット８とを加工する。該切り込み線を上下に広げて筒状の筆記部３として筆記材２を挿入する。該筆記材の実線部分は該筆記材が上（シート材が下）、点線はシート材が上を示す。筆記時の筆圧による該筆記材の押し上げを抑えるために該筆記材の上端を二股に加工し、どちらか片方を該シートに挿入する。携帯時は該挿入を抜いて該筆記材を押し下げる。筆記時と携帯時（又は筆記材２の回転）で異なる文や絵になるように軸部をデザインすることが容易になる。同様に加工したポケット８には予備の筆記材等を保持する。
【図面の簡単な説明】
【００２９】
【図１】本発明の使用直前状態を示した斜視図である。（実施例１）
【図２】筆記材２の挿入要領を示す斜視図である。（実施例1）
【図３】実施例２の斜視図である。（実施例２）
【図４】本発明の使用時における軸部１の変形要領を示す斜視図である。
【図５】本発明の加工部６を異形に成形した斜視図である。（実施例３）
【図６】軸部１に格納部９を設けた斜視図である。（実施例４）
【図７】筆記材２の使用と携帯の位置を示す平面図である。（実施例５）
【図８】実施例６の平面図である。
【符号の説明】
【００３０】
１    軸部
２    筆記材
３    保持部
４    透視窓
５    付属シート
６    加工部
７    変形部
８    ポケット
９    格納部
１１    親指
１２    人差し指
【図１】
2008273119.tif 000003
【図２】
2008273119.tif 000004
【図３】
2008273119.tif 000005
【図４】
2008273119.tif 000006
【図５】
2008273119.tif 000007
【図６】
2008273119.tif 000008
【図７】
2008273119.tif 000009
【図８】
2008273119.tif 000010